(57)【要約】【課題】外部装置との接続が可能という汎用性を持たせつつ、一つの記録メディアから他の記録メディアへと電子情報の転送を行え、且つユーザーフレンドリーな情報処理装置を提供する。【解決手段】制御手段１６が、ＰＣカード用スロット部１１にアダプタ付きのメモリカードが装着されており且つＭＯディスク用スロット部１２にＭＯディスクが装着されていることを検知した場合は、メモリカードに記録されている電子情報の容量およびＭＯディスクに記録可能な電子情報の容量を求め両者を比較したのち、比較結果をモニタ１９に表現させるので、かかる比較結果をユーザーが把握することで、操作部材としてのコピーボタン１３を押しても、全ての画像ファイルの転送ができないことが分かり、それを回避すべくＭＯディスクを交換するなどの措置を執ることができる。【選択図】    図３
2004200961.tif 000002
【特許請求の範囲】
【請求項１】
第１記録メディアを挿脱可能であると共に、装着した当該第１記録メディアから、少なくとも電子情報の読み出しが可能な第１着脱部と、
第２記録メディアを挿脱可能であると共に、装着した当該第２記録メディアに対して電子情報の読み出し及び書き込みが可能な第２着脱部とを備え、前記第１着脱部と前記第２着脱部とが、互いに電子情報を送受信可能に接続されている情報処理装置において、
当該情報処理装置内部における電子情報送受信の制御を行う制御手段と、
表現動作を行う表現手段とを有し、
該制御手段は、前記第１着脱部及び前記第２着脱部の両方に記録メディアが装着されていることを検知した場合は、前記第１記録メディアに記録されている第１の電子情報の容量および前記第２記録メディアに記録可能な第２の電子情報の容量を求め両者を比較したのち、比較結果を前記表現手段に表現させることを特徴とする情報処理装置。
【請求項２】
前記第１記録メディアに記録された電子情報を読み出して、前記第２記録メディアに書き込む動作を開始させる操作部材を有し、前記第１の電子情報の容量が、前記第２の電子情報の容量を超えている場合には、前記操作部材の操作を無効とすることを特徴とする請求項１に記載の情報処理装置。
【請求項３】
前記第１の電子情報の容量が、前記第２の電子情報の容量を超えている場合には、前記比較結果に、全ての電子情報を転送できないことに関する情報を含めることを特徴とする請求項１又は２に記載の情報処理装置。
【請求項４】
前記第１の電子情報の容量が、前記第２の電子情報の容量以下である場合には、前記比較結果に、全ての電子情報を転送できることに関する情報を含めることを特徴とする請求項１又は２に記載の情報処理装置。
【請求項５】
第１記録メディアを挿脱可能であると共に、装着した当該第１記録メディアから、少なくとも電子情報の読み出しが可能な第１着脱部と、
第２記録メディアを挿脱可能であると共に、装着した当該第２記録メディアに対して電子情報の読み出し及び書き込みが可能な第２着脱部とを備え、
前記第１着脱部と、前記第２着脱部とは、互いに電子情報を送受信可能に接続されているとともに、前記第１記録メディアに記録された電子情報を読み出して、前記第２記録メディアに書き込む動作を開始させる操作部材を有する情報処理装置において、
当該情報処理装置内部における電子情報送受信の制御を行う制御手段を有し、
該制御手段は、前記操作部材が操作されたことに応動し、前記第１記録メディアに記録された電子情報を読み出して、前記第２記録メディアに書き込む動作を開始する前に、前記第１記録メディアに記録されている第１の電子情報の容量および前記第２記録メディアに記録可能な第２の電子情報の容量を求め、前記第１の電子情報の容量が、前記第２の電子情報の容量を超えている場合には、前記書き込む動作を開始させないことを特徴とする情報処理装置。
【請求項６】
前記第１の電子情報の容量が、前記第２の電子情報の容量を超えていることを表現する表現手段を有することを特徴とする請求項５に記載の情報処理装置。
【請求項７】
第１記録メディアを挿脱可能であると共に、装着した当該第１記録メディアから、少なくとも電子情報の読み出しが可能な第１着脱部と、
第２記録メディアを挿脱可能であると共に、装着した当該第２記録メディアに対して電子情報の読み出し及び書き込みが可能な第２着脱部とを備え、
前記第１着脱部と、前記第２着脱部とは、互いに電子情報を送受信可能に接続されているとともに、前記第１記録メディアに記録された電子情報を読み出して、前記第２記録メディアに書き込む動作を開始させる操作部材を有する情報処理装置において、
当該情報処理装置内部における電子情報送受信の制御を行う制御手段と、
表現動作を行う表現手段とを有し、
該制御手段は、前記操作部材が操作されたことに応動し、前記第１記録メディアに記録された電子情報と、前記第２記録メディアに記録された電子情報とを読み出して比較し、少なくとも一部が一致していた場合、前記表現手段に表現動作を行わせることを特徴とする情報処理装置。
【請求項８】
第１記録メディアを挿脱可能であると共に、装着した当該第１記録メディアから、少なくとも電子情報の読み出しが可能な第１着脱部と、
第２記録メディアを挿脱可能であると共に、装着した当該第２記録メディアに対して電子情報の読み出し及び書き込みが可能な第２着脱部とを備え、
前記第１着脱部と、前記第２着脱部とは、互いに電子情報を送受信可能に接続されているとともに、前記第１記録メディアに記録された電子情報を読み出して、前記第２記録メディアに書き込む動作を開始させる操作部材を有する情報処理装置において、
当該情報処理装置内部における電子情報送受信の制御を行う制御手段を有し、
該制御手段は、前記操作部材が操作されたことに応動し、前記第１記録メディアに記録された電子情報と、前記第２記録メディアに記録された電子情報とを読み出して比較し、少なくとも一部が一致していた場合、一致している電子情報以外の電子情報を、前記第１記録メディアから読み出して前記第２記録メディアに書き込むことを特徴とする情報処理装置。
【請求項９】
一致している電子情報以外の電子情報を、前記第１記録メディアから読み出して前記第２記録メディアに書き込むことを表現する表現手段を有することを特徴とする請求項８に記載の情報処理装置。
【請求項１０】
前記電子情報の比較は、電子情報のファイル数、ファイル名、ファイル種類、容量、作成日時、更新日時、アクセス日時の少なくとも一つを用いて行われることを特徴とする請求項７乃至９のいずれかに記載の情報処理装置。
【請求項１１】
前記電子情報の比較は、電子情報が格納されたディレクトリ毎に行われることを特徴とする請求項７乃至１０のいずれかに記載の情報処理装置。
【請求項１２】
前記表現手段は表示装置であり、前記表現動作はユーザーに対する視覚を通じたメッセージの伝達であることを特徴とする請求項１乃至４、６，７、９乃至１１のいずれかに記載の情報処理装置。
【請求項１３】
前記表示装置は、メッセージを表示するモニタを含むことを特徴とする請求項１２に記載の情報処理装置。
【請求項１４】
前記表示装置は、ＬＥＤを含むことを特徴とする請求項１２又は１３に記載の情報処理装置。
【請求項１５】
前記表現手段は発音装置であり、前記表現動作はユーザーに対する聴覚を通じたメッセージの伝達であることを特徴とする請求項１乃至４、６，７、９乃至１１のいずれかに記載の情報処理装置。
【請求項１６】
前記発音装置は、スピーカーを含むことを特徴とする請求項１５に記載の情報処理装置。
【発明の詳細な説明】
【０００１】
【発明の属する技術分野】
本発明は、情報処理装置に関し、特に複数の記録メディアを挿脱可能となっており、装着された一つの記録メディアから他の記録メディアに電子情報を転送可能な情報処理装置に関する。
【０００２】
【従来の技術】
デジタルスチルカメラ等の電子カメラで撮影した画像を、そのカメラに装着された記録メディア（メモリカード等）に、画像ファイル等の電子情報として記録することが行われている。記録された電子情報は、パソコンなどに転送されて利用されるため、多くの電子カメラでは転送時のデータの取り扱いが容易なように、記録メディア上にパソコンと同様のファイルシステムを形成し、一般的には個々の撮影画像をそれぞれ１つの画像ファイルとして記録している（特許文献１参照）。
【特許文献１】
特開平１１−１６４２３４号公報
【０００３】
【発明が解決しようとする課題】
ところで、メモリカード等は携帯性を重視するため、例えば切手サイズのものが多く、一般的には記録容量が小さい。従って、電子カメラで撮影を続ける内に、メモリカードの記録残量が減ってゆき、やがては撮影が不可能となる。しかるに、メモリカードに記録した画像ファイルを他の記録媒体に記録（コピー）すれば、メモリカード内の画像ファイルを消去でき、それにより新たな撮影が可能となる。このような他の記録媒体への記録の一般的態様として、例えば電子カメラからＵＳＢ（Universal Serial Bus）等を介してパソコン等に画像ファイルを読み出し、更にハードディスク又はＣＤ−Ｒ等のより大容量の他の記録メディアに書き込むことなどが行われている。これをファイルのバックアップという。
【０００４】
しかしながら、メモリカード内のファイルのバックアップを行うためには、ユーザー自らパソコンを操作して画像ファイルをコピーする必要がある。従って、ファイルのバックアップに手間がかかるという問題がある。これに対し、メモリカード内の画像ファイルを読み出して、他の記録メディアに書き込む専用の装置を作ることも考えられるが、専用の装置であると操作の手間が省けるものの、汎用性が低下するため、製品としての価値が低いという問題がある。
【０００５】
そこで、パソコン等の外部装置との接続が可能という汎用性を持たせつつ、外部装置を介することなく、例えばコピーボタンの押圧というワンモーションで一つの記録メディアから他の記録メディアへと電子情報を直接転送できる情報処理装置が開発されている。しかるに、そのような情報処理装置における一つの問題として、パソコン等の外部装置に接続されなくても電子情報の転送を可能にするために、ユーザーに対して、情報処理装置の状態を何らかの方法で迅速に伝えなくてはならないということがある。例えば、バックアップデータを記憶するＭＯディスクの空き容量が少ない場合でも、コピーボタンを押すことで、メモリカードから読み出した画像ファイルの転送がとりあえず開始されるが、ＭＯディスク側に空き容量がなくなった時点で転送が不能となり、全ての画像ファイルが転送されることなく動作が中断する。ここで、パソコン等の外部装置が接続されていなければ、転送が不能になったことをユーザーに知らせることができない。従って、情報処理装置の停止により、ユーザーは全ての画像ファイルの転送が完了したと思いこんで、メモリカード内の画像ファイルを消去してしまうという場合もあり、そのような場合、メモリカードの画像ファイルが永久的に消滅する恐れがある。特に、画像ファイルのコピー自体は時間がかかるから、この間ユーザーが他の作業を行う或いはその場を離れることも十分考えられるので、転送が中断することが明らかであれば、コピーを開始しようとする際に、予めユーザーに知らしめることが好ましいといえる。
【０００６】
更に、メモリカード内の一部又は全部の画像ファイルが、ＭＯディスク側に既に記録されている場合に、全てをコピーするのでは時間がかかるといった問題もある。
【０００７】
本発明は、かかる従来技術の問題点に鑑みてなされたものであり、外部装置との接続が可能という汎用性を持たせつつ、一つの記録メディアから他の記録メディアへと電子情報の転送を行え、且つユーザーフレンドリーな情報処理装置を提供することを目的とする。
【０００８】
【課題を解決するための手段】
請求項１に記載の情報処理装置は、第１記録メディアを挿脱可能であると共に、装着した当該第１記録メディアから、少なくとも電子情報の読み出しが可能な第１着脱部と、第２記録メディアを挿脱可能であると共に、装着した当該第２記録メディアに対して電子情報の読み出し及び書き込みが可能な第２着脱部とを備え、前記第１着脱部と前記第２着脱部とが、互いに電子情報を送受信可能に接続されている情報処理装置において、当該情報処理装置内部における電子情報送受信の制御を行う制御手段と、表現動作を行う表現手段とを有し、該制御手段は、前記第１着脱部及び前記第２着脱部の両方に記録メディアが装着されていることを検知した場合は、前記第１記録メディアに記録されている第１の電子情報の容量および前記第２記録メディアに記録可能な第２の電子情報の容量を求め両者を比較したのち、比較結果を前記表現手段に表現させるので、前記表現手段を通じてかかる比較結果をユーザーが把握することで、操作部材としてのコピーボタンを押しても、全ての画像ファイルの転送ができないことが分かり、それを回避すべく第２記録メディアを交換するなどの措置を執ることができる。
【０００９】
請求項２に記載の情報処理装置は、前記第１記録メディアに記録された電子情報を読み出して、前記第２記録メディアに書き込む動作を開始させる操作部材を有し、前記第１の電子情報の容量が、前記第２の電子情報の容量を超えている場合には、前記操作部材の操作を無効とするので、前記表現手段により表現された比較結果をユーザーが認識し損なって、例えば操作部材としてのコピーボタンを押してたとしても、画像ファイルの転送が開始されることがないため、望まない転送動作を回避できる。
【００１０】
請求項３に記載の情報処理装置は、前記第１の電子情報の容量が、前記第２の電子情報の容量を超えている場合には、前記比較結果に、全ての電子情報を転送できないことに関する情報を含めると、容量不足をユーザーに知らしめることができる。
【００１１】
請求項４に記載の情報処理装置は、前記第１の電子情報の容量が、前記第２の電子情報の容量以下である場合には、前記比較結果に、全ての電子情報を転送できることに関する情報を含めると、正常に転送できることをユーザーに知らしめることができる。
【００１２】
請求項５に記載の情報処理装置は、第１記録メディアを挿脱可能であると共に、装着した当該第１記録メディアから、少なくとも電子情報の読み出しが可能な第１着脱部と、第２記録メディアを挿脱可能であると共に、装着した当該第２記録メディアに対して電子情報の読み出し及び書き込みが可能な第２着脱部とを備え、前記第１着脱部と、前記第２着脱部とは、互いに電子情報を送受信可能に接続されているとともに、前記第１記録メディアに記録された電子情報を読み出して、前記第２記録メディアに書き込む動作を開始させる操作部材を有する情報処理装置において、当該情報処理装置内部における電子情報送受信の制御を行う制御手段を有し、該制御手段は、前記操作部材が操作されたことに応動し、前記第１記録メディアに記録された電子情報を読み出して、前記第２記録メディアに書き込む動作を開始する前に、前記第１記録メディアに記録されている第１の電子情報の容量および前記第２記録メディアに記録可能な第２の電子情報の容量を求め、前記第１の電子情報の容量が、前記第２の電子情報の容量を超えている場合には、前記書き込む動作を開始させないので、例えば操作部材としてのコピーボタンを押しても、全ての画像ファイルの転送が開始されないことから、ユーザーは、転送を開始するために第２記録メディアを交換するなどの措置を執ることができる。
【００１３】
請求項６に記載の情報処理装置は、前記第１の電子情報の容量が、前記第２の電子情報の容量を超えていることを表現する表現手段を有するので、前記表現手段を通じてかかる比較結果をユーザーが把握することで、操作部材としてのコピーボタンを押しても、全ての画像ファイルの転送ができないことが分かり、それを回避すべく第２記録メディアを交換するなどの措置を執ることができる。
【００１４】
請求項７に記載の情報処理装置は、第１記録メディアを挿脱可能であると共に、装着した当該第１記録メディアから、少なくとも電子情報の読み出しが可能な第１着脱部と、第２記録メディアを挿脱可能であると共に、装着した当該第２記録メディアに対して電子情報の読み出し及び書き込みが可能な第２着脱部とを備え、前記第１着脱部と、前記第２着脱部とは、互いに電子情報を送受信可能に接続されているとともに、前記第１記録メディアに記録された電子情報を読み出して、前記第２記録メディアに書き込む動作を開始させる操作部材を有する情報処理装置において、当該情報処理装置内部における電子情報送受信の制御を行う制御手段と、表現動作を行う表現手段とを有し、該制御手段は、前記操作部材が操作されたことに応動し、前記第１記録メディアに記録された電子情報と、前記第２記録メディアに記録された電子情報とを読み出して比較し、少なくとも一部が一致していた場合、前記表現手段に表現動作を行わせるので、前記表現手段を通じて電子情報の一部重複をユーザーが把握することで、例えば同じ画像ファイルが何度も書き込まれるようなメディアの容量の浪費を防げる。
【００１５】
請求項８に記載の情報処理装置は、第１記録メディアを挿脱可能であると共に、装着した当該第１記録メディアから、少なくとも電子情報の読み出しが可能な第１着脱部と、第２記録メディアを挿脱可能であると共に、装着した当該第２記録メディアに対して電子情報の読み出し及び書き込みが可能な第２着脱部とを備え、前記第１着脱部と、前記第２着脱部とは、互いに電子情報を送受信可能に接続されているとともに、前記第１記録メディアに記録された電子情報を読み出して、前記第２記録メディアに書き込む動作を開始させる操作部材を有する情報処理装置において、当該情報処理装置内部における電子情報送受信の制御を行う制御手段を有し、該制御手段は、前記操作部材が操作されたことに応動し、前記第１記録メディアに記録された電子情報と、前記第２記録メディアに記録された電子情報とを読み出して比較し、少なくとも一部が一致していた場合、一致している電子情報以外の電子情報を、前記第１記録メディアから読み出して前記第２記録メディアに書き込むので、前記第２記録メディアに重複して画像ファイルを記録することが抑制され、ユーザーの手を煩わせることなく、必要な電子情報のみが転送される。
【００１６】
請求項９に記載の情報処理装置は、一致している電子情報以外の電子情報を、前記第１記録メディアから読み出して前記第２記録メディアに書き込むことを表現する表現手段を有するので、ユーザーがその旨を認識できるため好ましい。
【００１７】
請求項１０に記載の情報処理装置は、前記電子情報の比較は、電子情報のファイル数、ファイル名、ファイル種類、容量、作成日時、更新日時、アクセス日時などの属性データの少なくとも一つを用いて行うことで、同一ファイルかどうかの判断を、バイナリーレベルで比較するのに比べ短時間で行うことができる。
【００１８】
請求項１１に記載の情報処理装置は、前記電子情報の比較は、電子情報が格納されたディレクトリ毎に行われると、より短時間で行うことができる。
【００１９】
請求項１２に記載の情報処理装置は、前記表現手段が表示装置であり、前記表現動作はユーザーに対する視覚を通じたメッセージの伝達であると、ユーザーが一目で理解できるので好ましい。
【００２０】
請求項１３に記載の情報処理装置は、前記表示装置が、メッセージを表示するモニタを含むと、複雑な情報を伝達できるので好ましい。
【００２１】
請求項１４に記載の情報処理装置は、前記表示装置が、ＬＥＤを含むとスペースを必要とせず低コストで製造できるので好ましい。
【００２２】
請求項１５に記載の情報処理装置は、前記表現手段が発音装置であり、前記表現動作はユーザーに対する聴覚を通じたメッセージの伝達であると、ユーザーが前記情報処理装置を注視していなくてもメッセージを受け取ることができるので好ましい。
【００２３】
請求項１６に記載の情報処理装置は、前記発音装置が、スピーカーを含むと好ましい。
【００２４】
尚、本明細書中、第１記録メディアとは、メモリカード、ＣＤ−Ｒ、ＤＶＤ−Ｒ等の光情報記録媒体、ＭＯ等の光磁気情報記録媒体であると好ましく、一方、第２記録メディアとは、ＣＤ−Ｒ、ＤＶＤ−Ｒ等の光情報記録媒体、ＭＯ等の光磁気情報記録媒体、ハードディスク等であると好ましく、第１記録メディアより容量が大きいと、又好ましい。又、前記制御手段は、第２記録メディアに、フォーマットなどを行ってファイルシステムを作成可能であると好ましい。前記情報処理装置は、画像情報の送受信状態を示す表示手段及び／又は発音手段を有すると好ましい。電子情報には、画像ファイルが含まれるが、それに限らず文書データやＣＧデータなど各種のデータを含む。第１着脱部にＵＳＢなどのポートを付けてデジタルスチルカメラや他のストレージ機器を、第１記録メディアの代わりに接続しても良い。
【００２５】
【発明の実施の形態】
以下、本発明の実施の形態について、図面を参照して説明する。図１は、本実施の形態にかかる情報処理装置である外付けＭＯドライブ装置の斜視図である。
【００２６】
図１において、筐体１０の前面には、第１着脱部であるＰＣカード用スロット部１１と、第２着脱部であるＭＯディスク用スロット部１２と、表示手段であるＬＥＤ１４とが配置されている。筐体１０の背面には、接続部であるＵＳＢコネクタ１５ａが配置され、筐体１０の上面には、表現手段（一例としての表示装置）であるモニタ１９と、操作部材であるコピーボタン１３と、電源スイッチ１８とが配置されている。尚、ＰＣカード用スロット部１１の脇には、装着されたアダプタ付きのメモリカード（ＰＣカード等）を排出するためのイジェクトボタン１１ａが配置され、ＭＯディスク用スロット部１２の下には、装着されたＭＯディスクを排出するためのイジェクトボタン１２ａが配置されている。制御手段１６は、コピーボタン１３からのオン信号を受信することで、それが操作されたことを検出できるようになっている。
【００２７】
図２は、本外付けＭＯドライブ装置の機能ブロック図である。アダプタ付きのメモリカードが装着されたときにそれに対して電子情報を読み出し又は書き込み可能なＰＣカード用スロット部１１（ここではＰＣカードのコネクタ１１ｃと、カードコントロールＩＣ１１ｂを含む）と、ＭＯディスクが装着されたときにそれに対して電子情報を読み出し又は書き込み可能なＭＯディスク用スロット部１２と、ＵＳＢコネクタ１５ａを有するＵＳＢコントローラ１５と、制御手段１６は、バスＢにより相互に情報伝達可能に接続されている。制御手段１６は、コピーボタン１３からの信号を受信し、またモニタ１９に対して情報表示制御を行うようになっている。
【００２８】
制御手段１６は、ＰＣカード用スロット部１１にメモリカードが装着され、且つそれに対して電子情報の読み出し又は書き込みが可能になったことを検知し、ＭＯディスク用スロット部１２にＭＯディスクが装着され、且つそれに対して電子情報の読み出し又は書き込みが可能になったことを検知し、更にＵＳＢコントローラ１５が、パソコン等の外部機器に対してケーブルで接続されているか否かを検出すると共に、ＰＣカード用スロット部１１と、ＭＯディスク用スロット部１２との間における電子情報の送受信を制御する機能を有する。
【００２９】
図３は、制御手段１６の第１の制御動作を示すフローチャート図である。図４、５は、モニタ１９の表示例を示す図である。図３のステップＳ１０１において、制御手段１６は、ＵＳＢコントローラ１５を介して外部のパソコンに接続されているか否か判断する。ここで、外部のパソコンに接続されていると判断すれば、ステップＳ１０２で、制御手段１６は、外部のパソコンの制御下で、ＵＳＢコントローラ１５を介してＰＣカード用スロット部１１からメモリカードに対し、又はＭＯディスク用スロット部１２を介してＭＯディスクに対し電子情報の読み出し又は書き込みを許可する。すなわち、外付けＭＯドライブ装置は、本来の外部ストレージ装置として動作する。この場合、コピーボタン１３の操作があっても無視されて、メモリカードからＭＯディスクへの直接のファイル転送は行われない。
【００３０】
一方、外部のパソコンに接続されていないと判断すれば、ステップＳ１０３で、制御手段１６は、ＰＣカード用スロット部１１にアダプタ付きのメモリカードが装着されていないか装着されていても電子情報の読み出し又は書き込みが可能となっていないこと、或いはＭＯディスク用スロット部１２にＭＯディスクが装着されていないか装着されていても電子情報の読み出し又は書き込みが可能になっていないことを検知した場合、ステップＳ１０４で、モニタ１９に電子情報の転送が不能である旨のメッセージ（図４（ａ）参照）を表示させ、フローをステップＳ１０１へ戻す。
【００３１】
一方、ステップＳ１０３において、制御手段１６は、ＰＣカード用スロット部１１にアダプタ付きのメモリカードが装着されており電子情報の読み出し又は書き込みが可能となってること、且つＭＯディスク用スロット部１２にＭＯディスクが装着されており電子情報の読み出し又は書き込みが可能になっていることを検知した場合、ステップＳ１０５で、モニタ１９に電子情報の転送が可能である旨のメッセージ（図４（ｂ）参照）を表示させる。
【００３２】
更に、制御手段１６は、ステップＳ１０６で、コピーボタン１３が押されるのを待つ。ユーザーがコピーボタン１３を押す（操作する）と、制御手段１６は、ステップＳ１０７で、メモリカード内の電子情報の総容量（第１の電子情報の容量）を求め、続くステップＳ１０８で、ＭＯディスクの空き容量（第２の電子情報の容量）を求め、ステップＳ１０９で、両者を比較する。ここで、ＭＯディスクの空き容量がメモリカード内の電子情報の総容量より小さいと判断した場合、ステップＳ１１３で、制御手段１６は、モニタ１９に、それらの容量と、電子情報の転送が行えない旨のメッセージ（図５（ａ）参照）を表示する。これを見たユーザーは、ＭＯディスクの空き容量が少ないことが分かり、ＭＯディスクを交換するなどの措置を執れる。更に、制御手段１６は、ステップＳ１１４でＭＯディスクが交換されるまで同表示を継続し、ＭＯディスクが交換されれば、ステップＳ１０７にフローを戻す。
【００３３】
これに対し、ステップＳ１０９で、ＭＯディスクの空き容量がメモリカード内の電子情報の総容量以上であると判断した場合、ステップＳ１１０で、制御手段１６は、モニタ１９に、それらの容量と、電子情報の転送を行うことができる旨のメッセージ（図５（ｂ）参照）を表示する。更に、ステップＳ１１１で、メモリカードより電子情報を読み出し、それをステップＳ１１２でＭＯディスクに書き込むことで電子情報の転送を行う。尚、転送中は、ＬＥＤ１４が点滅し、転送中であるためメモリカード又はＭＯディスクを抜き出さないように、ユーザーに警告するようになっているが、この間にコピーボタン１３が操作されても、制御手段１６は、それを無視したり、ＭＯドライブ装置に対し、イジェクトボタンを無効にするようなコマンドを発行して、ファイル転送中は、メモリカードやＭＯディスクのイジェクトができないようにすることで、誤動作の防止を図っている。又、制御手段１６は、ＭＯディスクに対して電子情報の書き込みが行われている間に、ＵＳＢコントローラ１５を介して外部のパソコンが接続されていることを検知しても、ＭＯディスクに対する電子情報の書き込みが終了するまで、パソコンとの電子情報の送受信を禁止するので、パソコンからの命令に基づく誤動作を抑制できる。制御手段１６は、ステップＳ１１５で、転送が完了したと判断すれば、制御動作を終了する。
【００３４】
本実施の形態において、コピーボタン１３が操作された後、制御手段１６が、メモリカード内の電子情報の総容量と、ＭＯディスクの空き容量とを求めて、両者を比較しているが、装着されたメモリカードとＭＯディスクにおける情報の読み出し・書き込み可能となった時点で、コピーボタン１３の操作に関わりなく、その容量比較を行って、モニタ１９に表示させても良い。かかる場合、図１のステップＳ１０６は、ステップＳ１０９とステップＳ１１０との間に位置することとなるので、メモリカード画像ファイルの総量が、ＭＯディスクの空き容量を超えている場合には、制御手段１６は、コピーボタン１３が押されても、その信号を無視する（操作を無効とする）こととなる。
【００３５】
図６は、制御手段１６の第２の制御動作を示すフローチャート図である。図７は、モニタ１９の表示例を示す図である。図６において、ステップＳ１０１〜Ｓ１０６までは、図３に示すステップと同一であるので、その説明を省略する。
【００３６】
ユーザーがコピーボタン１３を押す（操作する）と、制御手段１６は、ステップＳ２０７で、メモリカード内の画像ファイルを検索し、続くステップＳ２０８で、ＭＯディスク内の画像ファイルを検索し、ステップＳ２０９で、両者を比較する。画像ファイルの比較は、そのファイル名が一致しているどうかで判別するが、ファイル名が一致していても、その容量又は更新日時が異なっている場合には、異なるファイルとして区別しても良い。この場合、転送先（ＭＯディスク側）でファイル名が重複する恐れがあるので、後述する転送時には、ファイル名を変更（例えば転送元（メモリカード側）のファイル名が「ＤＳＣ００００１．ＪＰＧ」である場合、これを「ＤＳＣ００００１（１）．ＪＰＧ」等に変更）することが望ましい。
【００３７】
更に、画像ファイルの比較は、ディレクトリ毎に行っても良い。例えば、転送元（メモリカード側）のディレクトリに、ファイル名が「ＤＳＣ００００１．ＪＰＧ」、「ＤＳＣ００００２．ＪＰＧ」、・・・と２４個のファイルが存在し、転送先（ＭＯディスク側）のディレクトリのいずれかに、同じファイル名で「ＤＳＣ００００１．ＪＰＧ」、「ＤＳＣ００００２．ＪＰＧ」、・・・と２４個のファイルが存在した場合、これらディレクトリ中の画像ファイルが同一と判断しても良い。本実施の形態では、ディレクトリ毎、画像情報の転送（コピー）が行われるからである。
【００３８】
ここで、ＭＯディスク内に、メモリカード内の画像ファイルと同一の画像ファイルが記憶されていると判断した場合、ステップＳ２１０で、制御手段１６は、モニタ１９に、同じ画像ファイルが存在するため、異なる画像ファイルのみを転送する旨のメッセージ（図７参照）を表示する。かかる表示により、ユーザーは、メモリカードの重複する画像ファイルが、ＭＯディスクに転送されないことを理解できる。更に、制御手段１６は、ステップＳ２１１で、異なる画像ファイルのみをメモリカードより読み出して、それをステップＳ２１２でＭＯディスクに書き込むことで電子情報の転送を行う。制御手段１６は、ステップＳ２１３で、転送が完了したと判断すれば、制御動作を終了する。
【００３９】
これに対し、ステップＳ２０９で、同一画像ファイルがメモリカードとＭＯディスクとに存在しないと判断した場合、ステップＳ１１１で、制御手段１６は、メモリカードより全ての画像ファイルを読み出し、それをステップＳ１１２でＭＯディスクに書き込むことで電子情報の転送を行う。尚、転送中は、ＬＥＤ１４が点滅し、転送中であるためメモリカード又はＭＯディスクを抜き出さないように、ユーザーに警告するようになっているが、この間にコピーボタン１３が操作されても、制御手段１６は、それを無視したり、ＭＯドライブ装置に対し、イジェクトボタンを無効にするようなコマンドを発行して、ファイル転送中は、メモリカードやＭＯディスクのイジェクトができないようにすることで、誤動作の防止を図っている。又、制御手段１６は、ＭＯディスクに対して電子情報の書き込みが行われている間に、ＵＳＢコントローラ１５を介して外部のパソコンが接続されていることを検知しても、ＭＯディスクに対する電子情報の書き込みが終了するまで、パソコンとの電子情報の送受信を禁止するので、パソコンからの命令に基づく誤動作を抑制できる。制御手段１６は、ステップＳ１１５で、転送が完了したと判断すれば、制御動作を終了する。
【００４０】
尚、上述した実施の形態では、図４，５に示すように、電子情報の転送が不能な場合と可能な場合と、それぞれ表示を行うようにしているが、一方の表示だけあればユーザー現在の状態を把握できるので、そのようにしても良い。又、表示装置としてのモニタ１９の表示の代わりに、ＬＥＤ１４を点滅させることで電子情報の転送が不能であることを表現したり、ＬＥＤ１４の連続点灯で電子情報の転送が可能であることを表現しても良い。かかる場合、ＬＥＤ１４が表示装置として機能する。それによりユーザーは、かかる状況を視覚を通じて把握できる。
【００４１】
更に、別な実施の形態として、図２に示すように、表現手段である発音装置としてスピーカー２０を設置することができる。かかる場合、電子情報の転送が可能である場合には、長い音を１回吹鳴させ、電子情報の転送が不能な場合には、短い音を複数回吹鳴させたり、図４に示すごときメッセージを音声で表現しても良い。それによりユーザーは、かかる状況を聴覚を通じて把握できる。
【００４２】
以上、本発明を実施の形態を参照して説明してきたが、本発明は上記実施の形態に限定して解釈されるべきではなく、適宜変更・改良が可能であることはもちろんである。例えば、メモリカードはアダプタを介してでなく、直接外付けＭＯドライブ装置に装着できるようにしても良い。更に、ビデオ・オーディオ出力手段を備えて、表示装置としての外部モニタを用いたり、発音装置としての外部スピーカーを用いたりすることで、ユーザーに対してメッセージを表現しても良い。
【００４３】
【発明の効果】
本発明によれば、外部装置との接続が可能という汎用性を持たせつつ、一つの記録メディアから他の記録メディアへと電子情報の転送を行え、且つユーザーフレンドリーな情報処理装置を提供することができる。
【図面の簡単な説明】
【図１】本実施の形態にかかる情報処理装置である外付けＭＯドライブ装置の斜視図である。
【図２】本外付けＭＯドライブ装置の機能ブロック図である。
【図３】制御手段１６の第１の制御動作を示すフローチャート図である。
【図４】モニタ１９の表示例を示す図である。
【図５】モニタ１９の表示例を示す図である。
【図６】制御手段１６の第２の制御動作を示すフローチャート図である。
【図７】モニタ１９の表示例を示す図である。
【符号の説明】
１０  筐体
１１  ＰＣカード用スロット部
１２  ＭＯディスク用スロット部
１３  コピーボタン
１４  ＬＥＤ
１５  ＵＳＢコントローラ
１６  制御手段
１９  モニタ
２０  スピーカー
【図１】
2004200961.tif 000003
【図２】
2004200961.tif 000004
【図３】
2004200961.tif 000005
【図４】
2004200961.tif 000006
【図５】
2004200961.tif 000007
【図６】
2004200961.tif 000008
【図７】
2004200961.tif 000009